(57)【要約】【課題】  畳んで保存して管理し易く、平坦で、真空収納袋が気体の洩れにより再び膨らむことを避けることができる立体収納袋及び収納ボックスの組合せを提供する。【解決手段】  立体収納袋１にチャック１１で構成された開口部があり、袋本体に単一方向の吸気バルブ１２が設けられ、袋本体の封じる底部は立体形態である平坦な底部及び広い面を呈し、硬質板１３が結び付けられ、硬質板１３の両側にバックルユニット１４が設けられているので収納品（例えば蒲団又は服など）を収納袋１の中に収納して真空で空気を抽出してから硬質板１３の両側を折り畳み、２枚の側板１３１になってバックルをかけてから大きさが相応しい収納ボックスの中に入れる立体収納袋及び収納ボックスの組合せである。【選択図】    図１
0003104427.tif 000002
【実用新案登録請求の範囲】
【請求項１】
立体収納袋および収納ボックスを備え、前記立体収納袋の袋本体の開口部に開口を封じるチャックが設けられ、前記袋本体の選定された場所に単一方向の吸気バルブが設けられ、
立体収納袋の袋本体の封じる底部は立体形態である平坦な底部および広い面を呈し、前記平坦な底部および広い面に硬質板が結び付けられ、
収納ボックスの大きさは立体収納袋の大きさに合わせて形成され、
収納品が立体収納袋の中に収納されてからチャックで封じられた後、真空で空気が吸引されて大きさが対応する収納ボックスの中に入れられることで平坦な収納袋および収納ボックスの組合せが形成されることを特徴とする立体収納袋および収納ボックスの組合せ。
【請求項２】
前記硬質板の両側にそれぞれ１セット又は１セット以上のバックルユニットが設けられていることを特徴とする請求項１に記載の立体収納袋および収納ボックスの組合せ。
【請求項３】
前記バックルユニットはくくる帯か締める帯であり、それを突き合わせて締めるかくくることが可能であることを特徴とする請求項２に記載の立体収納袋および収納ボックスの組合せ。
【請求項４】
前記硬質板は折り畳み可能な２枚の側板であることを特徴とする請求項１に記載の立体収納袋および収納ボックスの組合せ。
【請求項５】
前記収納ボックスはオープンカバーおよびボックス本体で構成され、前記オープンカバーを使ってボックス本体を封じることが可能であることを特徴とする請求項１に記載の立体収納袋および収納ボックスの組合せ。
【請求項６】
前記収納ボックスの両側に持ち手が設けられていることを特徴とする請求項１に記載の立体収納袋および収納ボックスの組合せ。
【請求項７】
前記収納ボックスのいずかれの選定される側に透明の材質で作ったウィンドーが設けられていることを特徴とする請求項１に記載の立体収納袋および収納ボックスの組合せ。
【請求項８】
前記収納ボックスのボックス本体の両側にバックルユニットが設けられていることを特徴とする請求項１に記載の立体収納袋および収納ボックスの組合せ。
【請求項９】
立体収納袋の袋本体の開口部に開口を封じるチャックが設けられ、前記袋の選定された場所に単一方向の吸気バルブが設けられ、前記立体収納袋の袋本体の封じる底部は立体形態である平坦な底部および広い面を呈し、前記平坦な底部および広い面に硬質板が結び付けられ、前記硬質板の両側にそれぞれ１セット又は１セット以上のバックルユニットが設けられていることを特徴とする立体収納袋および収納ボックスの組合せ。
【請求項１０】
前記硬質板は折り畳み可能な２枚の側板であることを特徴とする請求項９に記載の立体収納袋および収納ボックスの組合せ。
【考案の詳細な説明】
【技術分野】
【０００１】
本考案は立体収納袋および収納ボックスの組合せに関する設計である。その収納袋の底部は立体形態である平坦な底部および広い面を呈し、硬質板が結び付けられている。蒲団等の収納品を入れてから真空で空気を抽出することで体積が縮減した後、締めるかくくった後収納ボックスに入れることで保存および管理が便利になる。
【背景技術】
【０００２】
従来の蒲団又は服等を収納する場合に使う真空収納袋は、収納品を収納袋の中に入れてから空気を抽出することでその体積が圧縮された状態を呈し収納空間を節約できるため良い収納効果が得られるが、従来の各種の真空袋はその体積が真空で圧縮された後不規則な皺がある状態になるので、多数の不規則の圧縮された皺のある袋を上下で連続に畳むことが難しい。特に、従来の真空収納袋は長い時間が経つとその気体が洩れる可能があるので、その場合収納物が膨らんで保存される空間に保存できなくなる。又、それを畳んで保存する場合それぞれ落とす虞が充分あるので、便利さには不足するところがある。
【考案の開示】
【考案が解決しようとする課題】
【０００３】
よって本考案の目的は、畳んで保存して管理し易く、平坦で、真空収納袋が気体の洩れにより再び膨らむことを避けることができる立体収納袋および収納ボックスの組合せを提供することである。
【課題を解決するための手段】
【０００４】
本考案の組合せは、立体収納袋および収納ボックスを含む。その立体収納袋にチャックで構成された開口部があり、その袋本体に単一方向の吸気バルブが設けられており、その袋本体の封じる底部は立体形態である平坦な底部および広い面を呈し、硬質板が結び付けられている。又、その硬質板の両側にバックルユニットが設けられているので、収納品（例えば蒲団又は服など）を収納袋の中に収納して真空で空気を抽出してからその硬質板の両側を折り畳むと２枚の側板になり、バックルをかけてから大きさが相応しい収納ボックスの中に入れることで平坦な収納袋および収納ボックスの組合せが形成され、便利であり保存および管理の目的を達成できる。
【考案を実施するための最良の形態】
【０００５】
図１および図２は、本考案の一実施例による立体収納袋および収納ボックスの組合せの設計に関するものである。その構成は、立体収納袋１および収納ボックス２を含む。その中に立体収納袋１があり、その袋本体の開口部は二つの突き合わせるチャック１１で構成され、そのチャック１１を利用して開口を封じることができる。その袋本体の選定された場所に、単一方向の吸気バルブ１２が設けられ、特にその袋本体の封じる底部は立体形態である平坦な底部および広い面を呈し、その平坦な底部および広い面に硬質板１３が結び付けられている。その硬質板１３の両側にそれぞれ１セット又は１セット以上のバックルユニット１４（例えば、くくる帯か締める帯）が設けられており、さらにその硬質板１３に折り畳み可能な２枚の側板１３１がある。
【０００６】
収納ボックス２があり、それはオープンカバー２１およびボックス本体２２で構成され、そのオープンカバー２１を使ってボックス本体２２を封じることができる。又、そのボックス本体２２の大きさは、立体収納袋１を折り畳んだ後の形態に合わせる。その両側に持ち手２２１を設けることができ、その選定される側に透明の材質で作ったウィンドー２２２を設けることができる。
【０００７】
上述のパーツによって、収納品（例えば蒲団３又は服など）を立体収納袋１の中に収納してチャック１１で封じた後、真空で空気を抽出し、硬質板１３の２枚の側板１３１を折り畳んでバックルユニット１４で収納品をしっかり締め、大きさが相応しい収納ボックス２の中に入れることで平坦な収納袋および収納ボックスの組合せが形成されるので、収納した後畳み易いという長所がある。又、全体の保存空間の使用計画および管理にさらに整然とした便利な長所もある。
【０００８】
本考案の設計について、上述の立体収納袋１の封じる底部にある硬質板１３の２枚の側板１３１が折り畳んだ後壁板になるので、収納ボックス２を置いた後ボックス本体２２の両側に優れた補強作用をもたらしボックス本体２２の両側を強化する効果を得られ、畳んで保存する場合優れたサポート作用を生じ、長い時間置いても全体の保存空間に影響したり変更したりすることがない。
【０００９】
上述の硬質板１３の両側にあるバックルユニット１４を使用する場合、くくる帯か図で示された締める帯ユニットを使っても良い。それによって、真空で空気を抽出した後しっかり締めて固定し、収納した後再び膨らむことが避けられる。又、その締めるバックルユニット１４を直接ボックス本体２２の両側に設け、立体収納袋１をボックス本体２２に置いた後くくるか締めることで固定することができ、その実施は同一効果がある。
【００１０】
上述は、本考案の好ましい一実施例の説明であるが、それによって本考案を制限することではなく、本考案の技術手段を利用して同一効果又は類似の変化を実施するものはすべて本考案の特徴であると思われる。
【００１１】
本考案の主要な目的は、立体収納袋および収納ボックスの組合せる設計を提供するものである。その立体収納袋に、チャックで構成された開口部、およびその袋本体に設けられた単一方向の吸気バルブがある他、特にその袋本体の封じる底部は、立体形態である平坦な底部および広い面を呈し、硬質板が結び付けられている。真空で縮小した後、その底面は平坦な底面の形状が維持でき、その硬質板に折り畳み可能な２枚の側板がある。畳んで保存して管理し易く、それを大きさが相応しい収納ボックスの中に入れることで平坦な収納袋および収納ボックスの組合せ効果が得られる。
【００１２】
本考案の次の目的は、立体収納袋および収納ボックスの組合せる設計を提供するものである。その立体収納袋の封じる底部にある硬質板について、その硬質板の両側にそれぞれ１セット又は１セット以上の突き合わせるバックルユニット（例えば、くくる帯か締める帯）を設けてあるので、収納袋を真空で空気を抽出した後、収納品（例えば蒲団又は服など）を両側でのバックルユニットでしっかり締めてから大きさが相応しい収納ボックスの中に入れることで真空収納袋が気体の洩れにより再び膨らむことを避け、その全体的な保存空間の使用計画が影響されないのである。
【図面の簡単な説明】
【００１３】
【図１】本考案の一実施例による立体収納袋および収納ボックスを示す分解斜視図である。
【図２】本考案の一実施例による立体収納袋および収納ボックスの組合せの立体収納袋の硬質板を畳んで２枚の側板として使う状態を示す分解斜視図である。
【図３】本考案の一実施例による立体収納袋および収納ボックスの組合せの立体収納袋を収納ボックスに置く状態を示す外観斜視図である。
【図４】本考案の一実施例による立体収納袋および収納ボックスの組合せの立体収納袋の開口部のチャックを封じる状態を示す外観斜視図である。
【図５】本考案の一実施例による立体収納袋および収納ボックスの組合せの真空で空気を抽出する状態を示す断面図である。
【図６】本考案の一実施例による立体収納袋および収納ボックスに収納した後組合せた状態を示す外観斜視図である。
【符号の説明】
【００１４】
１  立体収納袋、２  収納ボックス、３  蒲団、１１  チャック、１２  単一方向の吸気バルブ、１３  硬質板、１４  バックルユニット、１３１  側板、２１  オープンカバー、２２  ボックス本体、２２１  持ち手、２２２  ウィンドー
【図１】
0003104427.tif 000003
【図２】
0003104427.tif 000004
【図３】
0003104427.tif 000005
【図４】
0003104427.tif 000006
【図５】
0003104427.tif 000007
【図６】
0003104427.tif 000008